(57)【要約】【課題】ユーザ及び利用状況に応じて、最適な表示態様に変更すること。【解決手段】表示装置は、コンテンツに対応する画像を表示する表示部と、ユーザの顔画像を取得する撮像部と、顔画像を解析する顔画像解析部と、表示部からユーザの顔までの距離情報を推定する距離推定部と、コンテンツに関するコンテンツ情報を取得するコンテンツ情報取得部と、コンテンツ情報、及び顔画像解析部の解析結果、及び距離推定部の推定結果、に基づいて、画像の表示態様を決定する表示態様決定部と、表示態様に基づいて、画像の画像信号を生成する画像信号生成部と、を備える。【選択図】図１
2013228490.tif 000002
【特許請求の範囲】
【請求項１】
コンテンツに対応する画像を表示する表示部と、
ユーザの顔画像を取得する撮像部と、
前記顔画像を解析する顔画像解析部と、
前記表示部からユーザの顔までの距離情報を推定する距離推定部と、
前記コンテンツに関するコンテンツ情報を取得するコンテンツ情報取得部と、
前記コンテンツ情報、及び前記顔画像解析部の解析結果、及び前記距離推定部の推定結果、に基づいて、前記画像の表示態様を決定する表示態様決定部と、
前記表示態様に基づいて、前記コンテンツに対応する画像の画像信号を生成する画像信号生成部と、
を備えることを特徴とする表示装置。
【請求項２】
前記解析結果は、ユーザの年齢に関する年齢情報、又はユーザの表情に関する表情情報の少なくともいずれかを含む請求項１に記載の表示装置。
【請求項３】
前記コンテンツ情報と、前記年齢情報と、前記表情情報と、前記距離情報と、前記表示態様と、を含むテーブル情報を生成するテーブル情報生成部を備え、
前記表示態様決定部は、前記テーブル情報を参照する請求項１又は２に記載の表示装置。
【請求項４】
前記テーブル情報生成部は、ユーザの操作に基づいて、前記テーブル情報を変更する請求項３に記載の表示装置。
【請求項５】
前記表情情報は、眼の状態、又は眉間の間隔の少なくともいずれかの情報を含む請求項１乃至４のいずれか一に記載の表示装置。
【請求項６】
前記コンテンツ情報は、前記コンテンツの種類に関する情報を含む請求項１乃至５のいずれか一に記載の表示装置。
【請求項７】
前記表示態様決定部は、前記画像の大きさを含む表示態様を決定する請求項１乃至６のいずれか一に記載の表示装置。
【請求項８】
前記年齢情報は、ユーザが指定した年齢に基づく情報を含む請求項１乃至７のいずれか一に記載の表示装置。
【請求項９】
コンテンツに対応する画像を表示する表示部を備える表示装置の制御方法であって、
ユーザの顔画像を取得する工程と、
前記顔画像を解析する解析工程と、
前記表示部からユーザの顔までの距離を推定する推定工程と、
前記コンテンツに関するコンテンツ情報を取得する工程と、
前記コンテンツ情報、及び前記解析工程によって得られる解析結果、及び前記推定工程によって得られる推定結果、に基づいて、前記画像の表示態様を決定する表示態様決定工程と、
前記表示態様に基づいて、前記コンテンツに対応する画像の画像信号を生成する工程と、
を含むことを特徴とする表示装置の制御方法。
【請求項１０】
コンテンツに対応する画像を表示する表示部を備える表示装置を制御するコンピュータに実行させるプログラムであって、
ユーザの顔画像を取得する処理と、
前記顔画像を解析する解析処理と、
前記表示部からユーザの顔までの距離を推定する推定処理と、
前記コンテンツに関するコンテンツ情報を取得する処理と、
前記コンテンツ情報、及び前記解析工程によって得られる解析結果、及び前記推定工程によって得られる推定結果、に基づいて、前記画像の表示態様を決定する表示態様決定処理と、
前記表示態様に基づいて、前記コンテンツに対応する画像の画像信号を生成する処理と、
を実行するプログラム。
【発明の詳細な説明】
【技術分野】
【０００１】
本発明は、表示装置、その制御方法及びプログラムに関する。特に、画像を表示する表示装置、その制御方法及びプログラムに関する。
【背景技術】
【０００２】
画像及び文字を表示する表示画面を見る場合、ユーザは、文字等のサイズを大きくして利用する場合がある。あるいは、小さな文字を読む際には、ユーザは、表示画面に顔を近づけて文字を読む場合がある。
【０００３】
特許文献１において、ユーザの顔画像に基づいて、ユーザの年齢や画面までの距離を推定し、文字の表示サイズを調整する技術が開示されている。
【０００４】
特許文献２において、操作者の顔画像の比率を検出することにより、表示画面から操作者の顔までの距離を検出し、文字サイズを変更する技術が開示されている。
【０００５】
特許文献３において、目の領域の画像データに基づき、目を細めているか否かを解析し、解析結果に基づいて表示データを生成する技術が開示されている。
【０００６】
特許文献４において、ユーザの目の状態および口の状態の組み合わせに応じて、処理を実行する技術が開示されている。
【０００７】
特許文献５において、車両の乗員のために、乗員の生体情報、顔の表情、操作動作、疲労度等に基づいて、表示画面の表示態様等を変更する技術が開示されている。
【先行技術文献】
【特許文献】
【０００８】
【特許文献１】特開２００６−０２３９５３号公報
【特許文献２】特開２０１１−１２３５０１号公報
【特許文献３】特開２００９−２９４７４０号公報
【特許文献４】特許第４２０６０５３号公報
【特許文献５】特開２００４−１１０５４６号公報
【発明の概要】
【発明が解決しようとする課題】
【０００９】
なお、上記先行技術文献の開示を、本書に引用をもって繰り込むものとする。以下の分析は、本発明の観点からなされたものである。
【００１０】
上述のとおり、画像や文字を表示する表示画面を見る場合、文字等の最適な表示サイズは、ユーザ毎に様々である。例えば、遠視の場合には、ユーザは、一定の距離を離れて文字を読む。一方、近視の場合には、ユーザは、表示画面に顔を近づけて文字を読む場合がある。また、表示画面全体を見る場合には、ユーザは、表示画面から一定の距離を離れる場合がある。一方、表示画面の詳細な部分を見る場合には、ユーザは表示画面に近づく場合がある。
【００１１】
さらに、近年、スマートフォン等の電子機器は多機能であり、カメラを備える場合がある。そのため、スマートフォン等の場合には、利用するコンテンツに応じて、表示画面の表示態様（画像の大きさ等）を変化させることが好ましい。例えば、Ｗｅｂページを閲覧する際に、眼を見開いて表示画面に近づく場合がある。その場合、ユーザは問題なく、Ｗｅｂページを閲覧できていると考えられる。そのため、画像の大きさ等を変化させる必要はない。一方、女性が化粧を確認する際に、鏡の代わりとして、カメラで撮影する映像を利用する場合がある。その際に、より詳細に顔を確認するために、ユーザは、表示画面に近づいて眼を見開く場合がある。その場合には、拡大した画像が表示画面に表示されることが好ましい。
【００１２】
特許文献１、２で開示された技術では、ユーザの意図しない状況で、文字サイズの変更を行う場合がある。なぜなら、表示画面とユーザの距離情報のみでは、ユーザが文字サイズの変更を望んでいるか否かの判断は、困難だからである。
【００１３】
特許文献３で開示された技術でも、ユーザの意図しない状況で、文字サイズの変更を行う場合がある。なぜなら、目の開き具合のみでは、ユーザが文字サイズの変更を望んでいるか否かの判断は、困難だからである。
【００１４】
特許文献４で開示された技術では、目の状態および口の状態の組み合わせを、複数学習する必要がある。そのため、特許文献４で開示された技術では、ユーザの負担が大きい。さらに、表示画面の表示態様を変更するために、ユーザが口を動かすことは、不自然である。
【００１５】
特許文献５で開示された技術では、コンテンツに応じて、表示画面の表示態様を変更することはできない。
【００１６】
そのため、各ユーザの利用状況に応じて、最適な表示態様に変更する表示装置、その制御方法及びプログラムが、望まれる。
【課題を解決するための手段】
【００１７】
本発明の第１の視点によれば、コンテンツに対応する画像を表示する表示部と、ユーザの顔画像を取得する撮像部と、前記顔画像を解析する顔画像解析部と、前記表示部からユーザの顔までの距離を推定する距離推定部と、前記コンテンツに関するコンテンツ情報を取得するコンテンツ情報取得部と、前記コンテンツ情報、及び前記顔画像解析部の解析結果、及び前記距離推定部の推定結果、に基づいて、前記画像の表示態様を決定する表示態様決定部と、前記表示態様に基づいて、前記コンテンツに対応する画像の画像信号を生成する画像信号生成部と、を備える表示装置が提供される。
【００１８】
本発明の第２の視点によれば、コンテンツに対応する画像を表示する表示部を備える表示装置の制御方法であって、ユーザの顔画像を取得する工程と、前記顔画像を解析する解析工程と、前記表示部からユーザの顔までの距離を推定する推定工程と、前記コンテンツに関するコンテンツ情報を取得する工程と、前記コンテンツ情報、及び前記解析工程によって得られる解析結果、及び前記推定工程によって得られる推定結果、に基づいて、前記画像の表示態様を決定する表示態様決定工程と、前記表示態様に基づいて、前記コンテンツに対応する画像の画像信号を生成する工程と、を含む表示装置の制御方法が提供される。
【００１９】
本発明の第３の視点によれば、コンテンツに対応する画像を表示する表示部を備える表示装置を制御するコンピュータに実行させるプログラムであって、ユーザの顔画像を取得する処理と、前記顔画像を解析する解析処理と、前記表示部からユーザの顔までの距離を推定する推定処理と、前記コンテンツに関するコンテンツ情報を取得する処理と、前記コンテンツ情報、及び前記解析工程によって得られる解析結果、及び前記推定工程によって得られる推定結果、に基づいて、前記画像の表示態様を決定する表示態様決定処理と、前記表示態様に基づいて、前記コンテンツに対応する画像の画像信号を生成する処理を実行するプログラムが提供される。
【発明の効果】
【００２０】
本発明の各視点によれば、ユーザ及び利用状況に応じて、最適な表示態様に変更する表示装置、その制御方法及びプログラム提供される。
【図面の簡単な説明】
【００２１】
【図１】一実施形態を説明するための図である。
【図２】表示装置１の全体構成の一例である。
【図３】表示装置１の内部構成の一例を示す図である。
【図４】テーブル情報の一例を示す図である。
【図５】液晶パネル４０に表示されるコンテンツの一例を示す図である。
【図６】液晶パネル４０に表示されるコンテンツの一例を示す図である。
【図７】液晶パネル４０に表示されるコンテンツの一例を示す図である。
【図８】液晶パネル４０に表示されるコンテンツの一例を示す図である。
【図９】液晶パネル４０に表示されるコンテンツの一例を示す図である。
【図１０】液晶パネル４０に表示されるコンテンツの一例を示す図である。
【図１１】表示装置１の動作の一例を示すフローチャートである。
【図１２】表示装置１の動作の一例を示すフローチャートである。
【発明を実施するための形態】
【００２２】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００２３】
上述のとおり、表示装置において、ユーザの視力、コンテンツ等に応じて、文字や画像の最適な表示態様は、様々である。そのため、ユーザ及び利用状況に応じて、最適な表示態様に変更する表示装置が、望まれる。
【００２４】
そこで、一例として図１に示す表示装置１００を提供する。表示装置１００は、コンテンツに対応する画像を表示する表示部１０１と、ユーザの顔画像を取得する撮像部１０２と、顔画像を解析する顔画像解析部１０３と、表示部１０１からユーザの顔までの距離を推定する距離推定部１０４と、コンテンツに関するコンテンツ情報を取得するコンテンツ情報取得部１０５と、コンテンツ情報、及び顔画像解析部１０３の解析結果、及び距離推定部１０４の推定結果、に基づいて、画像の表示態様を決定する表示態様決定部１０６と、表示態様に基づいて、コンテンツに対応する画像の画像信号を生成する画像信号生成部１０７と、を備える。
【００２５】
顔画像解析部１０３は、ユーザの顔画像を解析する。また、距離推定部１０４は、表示部１０１からユーザの顔までの距離を推定する。従って、表示装置１００では、ユーザ毎の本能的な表情、位置の変化に応じて、表示態様を変更できる。
【００２６】
また、上述のとおり、コンテンツに応じて（利用状況に応じて）、表示態様が異なることが好ましい。そのため、表示装置１００では、表示態様を決定する指針として、コンテンツ情報を参照する。従って、表示装置１００は、ユーザ及び利用状況に応じて、最適な表示態様に変更できる。
【００２７】
以下に具体的な実施の形態について、図面を参照してさらに詳しく説明する。
【００２８】
［第１の実施形態］
第１の実施形態について、図面を用いてより詳細に説明する。
【００２９】
図２は、本実施形態に係る表示装置１の全体構成の一例を示す平面図である。
【００３０】
表示装置１は、撮像部１０と、液晶パネル４０と、操作部５０と、を含んでいる。なお、図２においては、スマートフォンを模擬した電子機器を表している。しかし、これは、本願発明の対象として、スマートフォンに限定する趣旨ではない。例えば、ゲーム機、タブレットＰＣ（Ｐｅｒｓｏｎａｌ  Ｃｏｍｐｕｔｅｒ）、ノートＰＣなども本実施形態の表示装置１に該当する。
【００３１】
撮像部１０は、液晶パネル４０に対面するユーザを撮影し、顔画像を取得する。
【００３２】
液晶パネル４０は、コンテンツに対応する画像を表示する。液晶パネル４０は、有機ＥＬ（Ｅｌｅｃｔｒｏ  Ｌｕｍｉｎｅｓｃｅｎｃｅ）パネル等の他の表示デバイスであってもよいものとする
【００３３】
操作部５０は、表示装置１に対するユーザの操作を受け付ける操作キー等である。操作部５０は、タッチパネルであってもよい。また、タッチパネルの方式には、静電容量方式を初めとして各種存在するが、その方式は問わない。さらに、タッチパネルは液晶パネル４０と一体化していてもよい。
【００３４】
図３は、表示装置１の内部構成の一例を示す図である。表示装置１は、撮像部１０と、制御部２０と、記憶部３０と、液晶パネル４０と、操作部５０と、を含んで構成される。制御部２０は、顔画像解析部２１と、距離推定部２２と、コンテンツ情報取得部２３と、テーブル情報生成部２４と、表示態様決定部２５と、画像信号生成部２６と、を含む。図３には、簡単のため、本実施形態に係る表示装置１に関係するモジュールのみを記載する。液晶パネル４０と、操作部５０は、上述のとおりであるため、更なる説明を省略する。
【００３５】
撮像部１０は、上述のとおり、ユーザの顔画像を取得する。制御部２０は、取得した顔画像を記憶部３０に記憶させる。なお、撮像部１０は、ユーザの顔に焦点が合うように、焦点位置を調整することが好ましい。
【００３６】
顔画像解析部２１は、取得したユーザの顔画像を解析する。そして、顔画像解析部２１は、３種類の処理を行う。
【００３７】
ここで、一般的に、若年者と年配者では、視力が異なる。具体的には、年配者になると、遠視の傾向が強くなる。つまり、年配者になると、所謂、老眼の状態となる。そのため、年齢に応じて、ユーザの液晶パネル４０を見る表情、位置は異なると考えられる。
【００３８】
そこで、第１の処理として、顔画像解析部２１は、ユーザの顔画像に基づいて、ユーザの年齢に関する情報（以下、年齢情報と呼ぶ）を取得する。具体的には、顔画像解析部２１は、取得した顔画像から、眼や口、鼻などの特徴点を検出する。そして、検出した特徴点に基づいて、ユーザの年齢を推定することが好ましい。顔画像からユーザの年齢を推定する方法は、各種あるが、その方式は問わない。なお、ユーザが、操作部５０を介して、年齢情報を指定してもよい。
【００３９】
第２の処理として、顔画像解析部２１は、ユーザの顔画像に基づいて、ユーザの表情に関する情報（以下、表情情報と呼ぶ）を取得する。表情情報とは、眼の状態、又は眉間の間隔の少なくともいずれかを含む情報である。ここで、眼の状態とは、液晶パネル４０を見るときの眼の開き具合に関する情報である。即ち、眼の開き具合とは、液晶パネル４０を見るときに、ユーザが眼を見開いているか、又は眼を細めているか等の情報である。
【００４０】
また、眉間の間隔も、表示態様が適切か否かを判断するための情報の一つとなる。ここで、表示態様とは、液晶パネル４０に表示される画像の大きさ等を意味する。例えば、ユーザが眉間にしわを寄せて、液晶パネル４０を見ている場合には、液晶パネル４０を見難い状態と考えられる。そのため、ユーザが、眉間にしわをよせて液晶パネル４０を見ている場合には、表示装置１は、コンテンツを拡大して、液晶パネル４０に表示することが好ましい。
【００４１】
第３の処理として、顔画像解析部２１は、ユーザの顔画像に基づいて、ユーザを識別する。具体的には、顔画像解析部２１は、撮像部１０が撮影した画像と、記憶部３０に記憶されている顔画像を照合する。照合方法には、眼、口、鼻などの特徴点を照合する方法や、テンプレートマッチングする方法等が考えられる。なお、照合方法は、各種あるが、その方式は問わない。
【００４２】
距離推定部２２は、液晶パネル４０からユーザの顔までの距離情報を推定する。具体的には、ユーザの顔画像の大きさに基づいて、液晶パネル４０からユーザの顔までの距離を推定する方法がある。または、撮像部１０の焦点位置に基づいて、液晶パネル４０からユーザの顔までの距離を推定してもよい。あるいは、表示装置１が距離を測定するセンサ（図示せず）を備えていてもよい。距離を測定するセンサには、赤外線センサ、超音波センサ等があるが、距離の測定方式は問わない。
【００４３】
コンテンツ情報取得部２３は、コンテンツ情報を取得する。ここで、コンテンツ情報とは、コンテンツの種類等の情報である。なお、コンテンツ情報は、コンテンツに付帯する情報から取得することが好ましい。
【００４４】
テーブル情報生成部２４は、年齢情報、表情情報、液晶パネル４０からのユーザの顔までの距離、コンテンツ情報、コンテンツの表示態様、を含むテーブル情報を生成する。そして、テーブル情報生成部２４は、テーブル情報を記憶部３０に記憶させる。ここで、テーブル情報生成部２４は、直接、年齢を年齢情報としてもよい。あるいは、テーブル情報生成部２４は、２０代以上、４０代以上等に区分けした年齢情報を記憶してもよい。
【００４５】
図４は、テーブル情報の一例を示す図である。図４の場合、テーブル情報は、年齢情報、表情情報、距離情報、コンテンツ情報、表示態様の組み合わせである。
【００４６】
また、テーブル情報生成部２４は、各ユーザに応じたテーブル情報を生成することが好ましい。なぜなら、同じ年齢のユーザが同じコンテンツを見る場合であっても、液晶パネル４０を見る表情、距離等は異なるからである。例えば、近視のユーザと、遠視のユーザでは、液晶パネル４０を見る距離は異なる。その場合、既存のテーブル情報を参照すると、ユーザに適した表示態様ではない可能性がある。
【００４７】
あるいは、テーブル情報に記憶されていないコンテンツをユーザが利用する可能性がある。その場合、新規のコンテンツに対応したテーブル情報は記憶されていない。その結果、ユーザにとって適切な表示態様ではない恐れがある。
【００４８】
そのため、ユーザにとって適切な表示態様でない場合には、操作部５０を介して、ユーザが表示態様を変更できることが好ましい。そして、ユーザが変更した表示態様に基づいて、テーブル情報生成部２４はテーブル情報を更新する。その結果、本実施形態に係る表示装置１では、各ユーザに適した表示態様で、コンテンツを表示できる。
【００４９】
表示態様決定部２５は、コンテンツ情報、顔画像解析部２１の解析結果、距離推定部２２の推定結果、に基づいて、コンテンツの表示態様を決定する。具体的には、表示態様決定部２５は、記憶部３０に記憶されたテーブル情報を参照して、コンテンツの表示態様を決定する。例えば、表示態様決定部２５は、テーブル情報を参照して、画像の拡大率等を決定する。そして、画像信号生成部２６は、表示態様決定部２５で決定した表示態様に基づいて、液晶パネル４０に表示するコンテンツの画像信号を生成する。
【００５０】
図５、図６は、ユーザが、液晶パネル４０に表示されるコンテンツを見る一例である。図５（ａ）、図６（ａ）は、液晶パネル４０を見るユーザを、側面から見た図である。図５（ｂ）は、図５（ａ）の場合に、液晶パネル４０に表示されるコンテンツの一例である。また、図６（ｂ）は、図６（ａ）の場合に、液晶パネル４０に表示されるコンテンツの一例である。なお、図５、図６では、文字情報を液晶パネル４０に表示する。
【００５１】
例えば、ユーザが近視であるとする。その場合、図５（ａ）では、ユーザは、液晶パネル４０から一定の距離を離れて、眼を見開いて、液晶パネル４０を見ている。一方、図６（ａ）では、ユーザは、液晶パネル４０に近づき、目を細めて、液晶パネル４０を見ている。図６（ａ）の状態は、図５（ａ）の状態に比べて、ユーザは液晶パネル４０を見難い状態であると考えられる。そのため、図６（ｂ）では、図５（ｂ）に比べて、表示装置１は、液晶パネル４０にコンテンツを拡大して表示することが好ましい。
【００５２】
図７、図８は、ユーザが、液晶パネル４０に表示されるコンテンツを見る一例である。図７（ａ）、図８（ａ）は、液晶パネル４０を見るユーザを、側面から見た図である。図７（ｂ）は、図７（ａ）の場合に、液晶パネル４０に表示されるコンテンツの一例である。また、図８（ｂ）は、図８（ａ）の場合に、液晶パネル４０に表示されるコンテンツの一例である。なお、図７、図８では、文字情報を液晶パネル４０に表示する。
【００５３】
例えば、ユーザが老眼であるとする。その場合、図７（ａ）では、ユーザは、液晶パネル４０から一定の距離を離れて、眼を細めて、液晶パネル４０を見ている。一方、図８（ａ）では、ユーザは、液晶パネル４０に近づき、目を見開いて、液晶パネル４０を見ている。老眼の場合には、小さな文字を読む際には、液晶パネル４０から一定の距離を離れる必要がある。そのため、図７（ｂ）では、図８（ｂ）に比べて、表示装置１は、液晶パネル４０にコンテンツを拡大して表示することが好ましい。
【００５４】
一方、撮像部１０でユーザ自身の顔を撮影する場合には、年齢に応じて、表示態様を変更する必要はない。図９、図１０は、撮像部１０でユーザ自身を撮影する一例である。図９（ａ）、図１０（ａ）は、液晶パネル４０を見るユーザを側面から見た図である。図９（ｂ）は、図９（ａ）の場合に、液晶パネル４０に表示されるコンテンツの一例である。また、図１０（ｂ）は、図１０（ａ）の場合に、液晶パネル４０に表示されるコンテンツ
の一例である。
【００５５】
ここで、図９（ａ）では、ユーザは撮像部１０に近づいている。液晶パネルに近づいた場合、ユーザは、自身の顔を詳細に確認したいと考えられる。そのため、図９（ｂ）では、表示装置１は、拡大したユーザの顔画像を液晶パネル４０に表示している。一方、図１０（ａ）では、ユーザは撮像部１０から離れている。この場合には、ユーザは、顔全体を確認したいと考えられる。そのため、図１０（ｂ）では、表示装置１は、縮小したユーザの顔画像を液晶パネル４０に表示している。
【００５６】
次に、表示装置１の動作について説明する。
【００５７】
図１１は、表示装置１の動作の一例を示すフローチャートである。
【００５８】
ステップＳ１において、撮像部１０は、ユーザの顔画像を取得する。
【００５９】
ステップＳ２において、顔画像解析部２１は、取得した顔画像に基づいて、ユーザを識別する。
【００６０】
ステップＳ３において、取得した顔画像が、登録されているユーザの顔画像であるか否かを、顔画像解析部２１は判断する。登録されているユーザの場合（ステップＳ３のＹｅｓ分岐）には、制御部２０は、テーブル情報の参照を開始する（ステップＳ５）。登録さていないユーザの場合（ステップＳ３のＮｏ分岐）には、制御部２０は、テーブル情報を新規に作成する（ステップＳ４）。そして、制御部２０は、作成したテーブル情報を記憶部３０に記憶させる。その後、Ｓ５に遷移する。
【００６１】
ステップＳ６において、顔画像解析部２１は、取得した顔画像に基づいて、年齢情報を取得する。
【００６２】
ステップＳ７において、顔画像解析部２１は、取得した顔画像に基づいて、表情情報を取得する。
【００６３】
ステップＳ８において、距離推定部２２は、取得した顔画像に基づいて、液晶パネル４０とユーザの距離を推定する。
【００６４】
ステップＳ９において、コンテンツ情報取得部２３は、コンテンツ情報を取得する。なお、ステップＳ６からステップＳ９までの処理の順序は変更してもよい。
【００６５】
ステップＳ１０において、表示態様決定部２５は、テーブル情報を参照して、コンテンツの表示態様を決定する。そして、画像信号生成部２６は、表示態様に基づいて、コンテンツの画像信号を生成する。
【００６６】
次に、ユーザの操作に基づいて、表示態様を変更する動作について説明する。
【００６７】
図１２は、表示装置１の動作の一例を示すフローチャートである。
【００６８】
ステップＳ１０１において、表示態様を変更する所定の操作を、操作部５０が検出したか否かを、制御部２０は判断する。ここで、所定の操作とは、例えば、コンテンツを拡大表示、縮小表示する操作である。所定の操作を検出した場合（ステップＳ１０１のＹｅｓ分岐）には、画像信号生成部２６は、変更された表示態様に基づいて、コンテンツの画像信号を生成する（ステップＳ１０２）。所定の操作を検出しない場合（ステップＳ１０１のＮｏ分岐）には、ユーザにとって適切な表示態様であることを意味する。従って、その場合には、処理を表示態様の変更処理を終了する。
【００６９】
ステップＳ１０３において、制御部２０はテーブル情報を更新する。そして、制御部２０は、更新したテーブル情報を記憶部３０に記憶させる。
【００７０】
以上のように、本実施形態に係る表示装置１では、コンテンツの種類に応じて、ユーザの本能的な動作に基づいて、表示態様を変更する。具体的には、本実施形態に係る表示装置１では、ユーザの年齢情報、表情情報、液晶パネルを見る距離、コンテンツの種類に基づいて、表示態様を変更する。例えば、遠視の場合は、小さな文字を見るときには、液晶パネルから一定の距離を離れる場合がある。しかし、近視の人は、小さな文字を見るときは、液晶パネルに近づく場合がある。そこで、本実施形態に係る表示装置１は、ユーザ毎に、ユーザの本能的な動作と表示態様の関係を、テーブル情報として記憶する。そして、本実施形態に係る表示装置１は、記憶されたテーブル情報に基づいて、ユーザ及び利用状況に応じた表示態様に変更する。
【００７１】
また、上記の実施形態では、スマートフォンのように、液晶パネル４０と制御部２０が一つの筐体に含まれる形態で説明した。しかし、制御部２０と、液晶パネル４０が、それぞれ独立した筐体に含まれる形態であってもよいことは勿論である。
【００７２】
上記の実施形態の一部又は全部は、以下の付記のようにも記載され得るが、以下には限られない。
【００７３】
（付記１）コンテンツに対応する画像を表示する表示部と、ユーザの顔画像を取得する撮像部と、前記顔画像を解析する顔画像解析部と、前記表示部からユーザの顔までの距離を推定する距離推定部と、前記コンテンツに関するコンテンツ情報を取得するコンテンツ情報取得部と、前記コンテンツ情報、及び前記顔画像解析部の解析結果、及び前記距離推定部の推定結果、に基づいて、前記画像の表示態様を決定する表示態様決定部と、前記表示態様に基づいて、前記コンテンツに対応する画像の画像信号を生成する画像信号生成部と、を備える表示装置。
【００７４】
（付記２）前記解析結果は、ユーザの年齢に関する年齢情報、又はユーザの表情に関する表情情報の少なくともいずれかを含む表示装置。
【００７５】
（付記３）前記コンテンツ情報と、前記年齢情報と、前記表情情報と、前記距離情報と、前記表示態様と、を含むテーブル情報を生成するテーブル情報生成部を備え、前記表示態様決定部は、前記テーブル情報を参照する表示装置。
【００７６】
（付記４）前記コンテンツ情報と、前記年齢情報と、前記表情情報と、前記距離情報と、前記表示態様と、を含むテーブル情報を生成するテーブル情報生成部を備え、前記表示態様決定部は、前記テーブル情報を参照する表示装置。
【００７７】
（付記５）前記表情情報は、眼の状態、又は眉間の間隔の少なくともいずれかの情報を含む表示装置。
【００７８】
（付記６）前記コンテンツ情報は、前記コンテンツの種類に関する情報を含む表示装置。
【００７９】
（付記７）前記表示態様決定部は、前記画像の大きさを含む表示態様を決定する表示装置。
【００８０】
（付記８）前記年齢情報は、ユーザが指定した年齢に基づく情報を含む表示装置。
【００８１】
（付記９）コンテンツに対応する画像を表示する表示部を備える表示装置の制御方法であって、ユーザの顔画像を取得する工程と、前記顔画像を解析する解析工程と、前記表示部からユーザの顔までの距離を推定する推定工程と、前記コンテンツに関するコンテンツ情報を取得する工程と、前記コンテンツ情報、及び前記解析工程によって得られる解析結果、及び前記推定工程によって得られる推定結果、に基づいて、前記画像の表示態様を決定する表示態様決定工程と、前記表示態様に基づいて、前記コンテンツに対応する画像の画像信号を生成する工程と、を含む表示装置の制御方法。
【００８２】
（付記１０）前記コンテンツ情報と、前記年齢情報と、前記表情情報と、前記距離情報と、前記表示態様と、を含むテーブル情報を生成する工程を含み、前記表示態様決定工程は、前記テーブル情報を参照する表示装置の制御方法。
【００８３】
（付記１１）コンテンツに対応する画像を表示する表示部を備える表示装置を制御するコンピュータに実行させるプログラムであって、ユーザの顔画像を取得する処理と、前記顔画像を解析する解析処理と、前記表示部からユーザの顔までの距離を推定する推定処理と、前記コンテンツに関するコンテンツ情報を取得する処理と、前記コンテンツ情報、及び前記解析工程によって得られる解析結果、及び前記推定工程によって得られる推定結果、に基づいて、前記画像の表示態様を決定する表示態様決定処理と、前記表示態様に基づいて、前記コンテンツに対応する画像の画像信号を生成する処理と、を実行するプログラム。
【００８４】
（付記１２）前記コンテンツ情報と、前記年齢情報と、前記表情情報と、前記距離情報と、前記表示態様と、を含むテーブル情報を生成する処理を含み、前記表示態様決定処理は、前記テーブル情報を参照するプログラム。
【００８５】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００８６】
１、１００  表示装置
１０、１０２  撮像部
２０  制御部
２１、１０３  顔画像解析部
２２、１０４  距離推定部
２３、１０５  コンテンツ情報取得部
２４  テーブル情報生成部
２５、１０６  表示態様決定部
２６、１０７  画像信号生成部
３０  記憶部
４０  液晶パネル
５０  操作部
１０１  表示部
【図１】
2013228490.tif 000003
【図２】
2013228490.tif 000004
【図３】
2013228490.tif 000005
【図４】
2013228490.tif 000006
【図５】
2013228490.tif 000007
【図６】
2013228490.tif 000008
【図７】
2013228490.tif 000009
【図８】
2013228490.tif 000010
【図９】
2013228490.tif 000011
【図１０】
2013228490.tif 000012
【図１１】
2013228490.tif 000013
【図１２】
2013228490.tif 000014